(57)【要約】      （修正有）【課題】格納箱本体に消火栓扉を取り付ける際、格納箱本体に消火栓扉を簡単にセットできて、格納箱本体が誤差で壁面に対して前後にずれた状態で設置された場合でも、格納箱本体に消火栓扉を確実に取り付ける。【解決手段】消火栓格納箱であって、前記格納箱本体６の扉取り付け部と消火栓扉１１の扉枠８との間に、扉枠８の後端部が格納箱本体６内に嵌め込まれた状態で消火栓扉１１を格納箱本体６に支持する扉支持手段１２を設け、当該扉支持手段１２は、格納箱本体６の左右の扉取り付け部６ｆにそれぞれ設けられ、格納箱本体６の左右の内面と扉枠８の格納箱本体６内に嵌め込まれた後端部との間に位置し且つ前方を向く支持片を有する左右の支持部材１２Ａと、扉枠８の格納箱本体６内に嵌め込まれる後端部の左右位置に左右方向へ張り出した状態で設けられ、左右の支持部材１２Ａにそれぞれ支持される左右の離脱防止部材１２Ｂと、を備えている。【選択図】図１３
2019201753.tif 000002
【特許請求の範囲】
【請求項１】
前面が開口された格納箱本体と、格納箱本体の開口側内周縁部に設けた扉取り付け部に締付具を介して取り付けられる扉枠及び当該扉枠に開閉自在に設けられて格納箱本体の開口を開閉する一枚若しくは複数枚の扉板から成る消火栓扉と、を備えた消火栓格納箱であって、前記格納箱本体の扉取り付け部と消火栓扉の扉枠との間に、扉枠の後端部が格納箱本体内に嵌め込まれた状態で消火栓扉を格納箱本体に支持する扉支持手段を設け、当該扉支持手段は、格納箱本体の左右の扉取り付け部にそれぞれ設けられ、格納箱本体の左右の内面と扉枠の格納箱本体内に嵌め込まれた後端部との間に位置し且つ前方を向く支持片を有する左右の支持部材と、扉枠の格納箱本体内に嵌め込まれる後端部の左右位置に左右方向へ張り出した状態で設けられ、左右の支持部材にそれぞれ支持される左右の離脱防止部材と、を備えていることを特徴とする消火栓格納箱。
【請求項２】
前記左右の離脱防止部材の張り出し長さは、消火栓扉を格納箱本体に対して左右方向へ移動させたときに、左右の離脱防止部材の先端が格納箱本体の左側又は右側の内面に当接して消火栓扉の左右方向の位置決めを行う長さに設定されていることを特徴とする請求項１に記載の消火栓格納箱。
【請求項３】
前記左右の支持部材の支持片は、支持片の先端部上面に形成され、消火栓扉が前方へ傾倒したときに左右の離脱防止部材の一部が挿入係止される係止溝と、支持片の先端部上面に上方へ突出する姿勢で形成され、消火栓扉が前方へ傾倒したときに左右の離脱防止部材が支持片から抜けるのを防止する抜け止め突起の何れか一方又は両方を備えていることを特徴とする請求項１に記載の消火栓格納箱。
【請求項４】
前面が開口された格納箱本体と、格納箱本体の開口側内周縁部に設けた扉取り付け部に締付具を介して取り付けられる扉枠及び当該扉枠に開閉自在に設けられて格納箱本体の開口を開閉する一枚若しくは複数枚の扉板から成る消火栓扉と、を備えた消火栓格納箱であって、前記格納箱本体の扉取り付け部と消火栓扉の扉枠との間に、扉枠の後端部が格納箱本体内に嵌め込まれた状態で消火栓扉を格納箱本体に支持する扉支持手段を設け、当該扉支持手段は、格納箱本体の上側の内面中央位置に設けられ、先端部が下方を向く垂直姿勢に形成された支持部材と、扉枠の格納箱本体内に嵌め込まれる後端部の上辺中央位置に形成され、支持部材の先端部が挿入係止される開口状の切り込み部と、を備えていることを特徴とする消火栓格納箱。
【請求項５】
前面が開口された格納箱本体と、格納箱本体の開口側内周縁部に設けた扉取り付け部に締付具を介して取り付けられる扉枠及び当該扉枠に開閉自在に設けられて格納箱本体の開口を開閉する一枚若しくは複数枚の扉板から成る消火栓扉と、を備えた消火栓格納箱であって、前記格納箱本体の扉取り付け部と消火栓扉の扉枠との間に、扉枠の後端部が格納箱本体内に嵌め込まれた状態で消火栓扉を格納箱本体に支持する扉支持手段を設け、当該扉支持手段は、格納箱本体の上側の扉取り付け部の中央位置に設けられ、先端部が前方を向く水平姿勢に形成されていると共に、水平姿勢の先端部に扉枠の納箱本体内に嵌め込まれる後端部の上辺が支持される支持部材を備えていることを特徴とする消火栓格納箱。
【請求項６】
前記支持部材は、格納箱本体の上側の扉取り付け部に一体的に設けられており、上側の扉取り付け部の中央部を延設して前方へ折り曲げ加工することにより形成されていることを特徴とする請求項５に記載の消火栓格納箱。
【請求項７】
前記消火栓扉は、扉枠に支持軸を介して縦開き可能に支持される扉板を備え、当該扉板が支持される扉枠の左辺及び右辺に支持軸が挿通されるピン孔をそれぞれ形成し、一方のピン孔を円形ピン孔とすると共に、他方のピン孔を縦長ピン孔としたことを特徴とする請求項１、請求項４又は請求項５の何れかに記載の消火栓格納箱。
【発明の詳細な説明】
【技術分野】
【０００１】
本発明は、主にホテルやデパート、オフィスビル、商業ビル、マンション、病院、学校、劇場、旅館、工場、倉庫、駅等の建物内の壁面等に設置され、内部に消火活動に使用される消防用ホースやノズル、消火栓弁、消火器等を格納する消火栓格納箱の改良に係り、特に、建物内の壁面に埋設状態で設置された格納箱本体に消火栓扉を取り付ける際に、一人で消火栓扉の取り付け作業を行えると共に、格納箱本体に消火栓扉を簡単且つ容易にセットできて施工性の向上を図れ、しかも、格納箱本体が施工時の誤差で壁面に対して前後にずれた状態で設置された場合でも、格納箱本体に消火栓扉を確実且つ良好に取り付けることができ、更に、消火栓扉の扉枠に縦開き可能な扉板を容易に取り付けることができるようにした消火栓格納箱に関するものである。
【背景技術】
【０００２】
一般に、ホテルやデパート、オフィスビル等の建物内の壁面等には、火災発生時に消火活動に使用される消防用ホースやノズル、消火栓弁、消火器等を格納した消火栓格納箱が設置されている。
【０００３】
従来、この種の消火栓格納箱は、建物内の壁面に埋設状態で設置され、前面が開口された格納箱本体と、格納箱本体に取り付けられ、格納箱本体の前面側開口を開閉する消火栓扉と、を備えている（例えば、特許文献１及び特許文献２参照）。
【０００４】
図２８は従来の消火栓格納箱３０の一例を示し、当該消火栓格納箱３０は、内部空間に消防用ホース、ノズル、消火栓弁及びホース格納器具（何れも図示省略）等を格納した前面が開口された格納箱本体３１と、格納箱本体３１の開口側内周縁部に取り付けられた扉枠３２及び当該扉枠３２に開閉自在に設けられた扉板３３から成る消火栓扉３４と、を備えている。
【０００５】
尚、図２８において、３５はコンクリート壁、３６は壁仕上げ材、３７は消火栓扉３４の回転軸、３８は扉板３３に設けた取っ手、３９はビス３９ａ及びナット３９ｂから成る締付具である。
【０００６】
ところで、従来の消火栓格納箱３０の建物への施工においては、建物の工事の工程に合わせて格納箱本体３１を建物の壁に設置した後、壁面の完成後に格納箱本体３１に消火栓扉３４をビス３９ａ及びナット３９ｂから成る締付具３９で固定するようにしており、格納箱本体３１への消火栓扉３４の取り付け作業は、二人の作業者で行っていた。
【０００７】
即ち、格納箱本体３１への消火栓扉３４の取り付け作業は、二人の作業者うち、一人の作業者が消火栓扉３４を持ち、当該消火栓扉３４を建物内の壁面に埋設状態で設置した格納箱本体３１の開口側内周縁部に嵌め込み、扉枠３２の内周縁部に設けたアングル形状の連結部３２ａと格納箱本体３１の開口側内周縁部に設けたアングル形状の扉取り付け部３１ａとを対向せしめ、連結部３２ａ及び扉取り付け部３１ａに所定間隔毎に形成したビス孔の位置を合わせた後、他方の作業者が連結部３２ａ及び扉取り付け部３１ａの各ビス孔にそれぞれビス３９ａを挿通し、各ビス３９ａにナット３９ｂを締め込むことによって、格納箱本体３１に消火栓扉３４を取り付けるようにしていた。
【０００８】
また、消火栓扉３４を格納箱本体３１の開口側内周縁部に嵌め込んだ後、消火栓扉３４と格納箱本体３１とをビス止めする際に、ビス止め作業を容易に行えるように扉板３３を開放するが、このとき扉板３３の重みによって、図２９に示すように消火栓扉３４が前方へ傾倒するため、一人の作業者は、消火栓扉３４を格納箱本体３１側へ押え続けていなければならなかった。
【０００９】
このように、従来の消火栓格納箱３０おいては、格納箱本体３１に消火栓扉３４を取り付ける際に、消火栓扉３４を持って保持する作業者とビス止め作業をする作業者の二名の作業者を必要とし、一人の作業者では消火栓扉３４の取り付け作業を行えず、また、作業者は、格納箱本体３１に対する消火栓扉３４の位置ずれを防止したり、消火栓扉３４が自重により前方へ傾倒するのを防止したりする必要があり、消火栓扉３４の固定ができるまで消火栓扉３４を保持し続けなければならず、容易に施工できないと言う問題があった。
【００１０】
一方、上述した問題を解決する消火栓格納箱が開発され、特開２０１０−１０４６２５号公報（特許文献３参照）として公開されている。
【００１１】
即ち、前記消火栓格納箱３０は、図３０（Ａ）及び（Ｂ）に示す如く、格納箱本体３１の左右位置の扉取り付け部３１ａに消火栓扉３４の扉枠３２を支持する板状の支持用フック４０を挿着し、当該支持用フック４０の先端部を扉枠３２の連結部３２ａに形成したフック挿入用スリット３２ｂに挿入し、前記支持用フック４０で消火栓扉３４の扉枠３２を支持するようにしたものである。
【００１２】
従って、前記消火栓格納箱３０は、消火栓扉３４を支持用フック４０で支持することができる構造となっているため、消火栓扉３４を保持する作業者が不要となり、一人の作業者でビス止め作業を行うことができると言う利点がある。
【００１３】
しかし、図３０（Ａ）及び（Ｂ）に示す消火栓格納箱３０は、格納箱本体３１に消火栓扉３４を取り付ける際に、板状の支持用フック４０の先端部を扉枠３２の連結部３２ａに形成した縦長のフック挿入用スリット３２ｂに挿入しなければならないが、作業者側からフック挿入用スリット３２ｂが見えないので、フック挿入用スリット３２ｂに支持用フック４０を挿入しづらく、消火栓扉３４を格納箱本体３１にセットするのに時間がかかると言う問題があった。
【００１４】
尚、フック挿入用スリット３２ｂの幅を広くした場合には、支持用フック４０を挿入し易くなるが、消火栓扉３４が格納箱本体３０に対して左右方向へずれた状態で設置された場合には、支持用フック４０の先端が扉板３３の回転軌道に干渉し、消火栓扉３４を開閉できなくなると言う別の問題が発生することになる。
【００１５】
また、前記消火栓格納箱３０は、消火栓扉３４を支持用フック４０で支持したときに、支持用フック４０の先端部が扉枠３２の内方に位置するため、支持用フック４０の前後方向の長さをあまり長くすることができない。何故なら、支持用フック４０を長くすると、扉板３３が回転するときに支持用フック４０の先端部に干渉することになるからである。
【００１６】
その結果、格納箱本体３１が施工時の誤差で壁面Ｗに対して前後に移動した場合には、次のような問題が生じる。
例えば、格納箱本体３１の開口側先端が壁面Ｗよりも奥に入った場合には、図３１（Ａ）に示すように支持用フック４０の先端部に扉枠３２が引っ掛からず、消火栓扉３４を格納箱本体３１にセットすることができないと言う問題が発生する。
反対に格納箱本体３１の開口側先端が壁面Ｗよりも前に出た場合には、図３１（Ｂ）に示すように消火栓扉３４を支持用フック４０で支持することができるが、消火栓格納箱３０の加工公差によっては扉板３３が回転するときに支持用フック４０の先端部に干渉することがあり、格納箱本体３１を取り外さなければならないと言う問題が発生する。
【００１７】
更に、前記消火栓格納箱３０は、扉枠３２に縦開き可能な扉板（図示省略）を備えており、当該扉板が扉枠３２の左辺及び右辺に横向き姿勢の回転軸（図示省略）を介して縦開き可能に支持されているが、扉枠３２の左辺及び右辺に形成した回転軸孔（図示省略）が何れも円形に形成されているため、回転軸孔に回転軸を円滑且つスムースに挿入することが難しく、回転軸孔と回転軸の位置合わせに手間取り、扉枠３２への縦開きの扉板の取り付けを容易に行えないと言う問題がある。
【００１８】
このように、図３０（Ａ）及び（Ｂ）に示す消火栓格納箱３０においても、格納箱本体３１に消火栓扉３４をセットし難いうえ、格納箱本体３１を設置したときに前後方向に誤差が生じた場合には、格納箱本体３１に消火栓扉３４をセットできなかったり、或いは、扉板３３が回転するときに支持用フック４０に干渉すると言う問題があった。
【先行技術文献】
【特許文献】
【００１９】
【特許文献１】実用新案登録第３１８９６１１号公報
【特許文献２】特開２００７−２２９１０８号公報
【特許文献３】特開２０１０−１０４６２５号公報
【発明の概要】
【発明が解決しようとする課題】
【００２０】
本発明は、このような問題点に鑑みて為されたものであり、その目的は、建物内の壁面に埋設状態で設置された格納箱本体に消火栓扉を取り付ける際に、一人で消火栓扉の取り付け作業を行えると共に、格納箱本体に消火栓扉を簡単且つ容易にセットできて施工性の向上を図れ、しかも、格納箱本体が施工時の誤差で壁面に対して前後にずれた状態で設置された場合でも、格納箱本体に消火栓扉を確実且つ良好に取り付けることができ、更に、消火栓扉の扉枠に縦開き可能な扉板を容易に取り付けることができるようにした消火栓格納箱を提供することにある。
【課題を解決するための手段】
【００２１】
上記目的を達成するため、本発明の請求項１に記載の消火栓格納箱は、前面が開口された格納箱本体と、格納箱本体の開口側内周縁部に設けた扉取り付け部に締付具を介して取り付けられる扉枠及び当該扉枠に開閉自在に設けられて格納箱本体の開口を開閉する一枚若しくは複数枚の扉板から成る消火栓扉と、を備えた消火栓格納箱であって、前記格納箱本体の扉取り付け部と消火栓扉の扉枠との間に、扉枠の後端部が格納箱本体内に嵌め込まれた状態で消火栓扉を格納箱本体に支持する扉支持手段を設け、当該扉支持手段は、格納箱本体の左右の扉取り付け部にそれぞれ設けられ、格納箱本体の左右の内面と扉枠の格納箱本体内に嵌め込まれた後端部との間に位置し且つ前方を向く支持片を有する左右の支持部材と、扉枠の格納箱本体内に嵌め込まれる後端部の左右位置に左右方向へ張り出した状態で設けられ、左右の支持部材にそれぞれ支持される左右の離脱防止部材と、を備えていることに特徴がある。
【００２２】
本発明の請求項２に記載の消火栓格納箱は、請求項１に記載の消火栓格納箱において、前記左右の離脱防止部材の張り出し長さは、消火栓扉を格納箱本体に対して左右方向へ移動させたときに、左右の離脱防止部材の先端が格納箱本体の左側又は右側の内面に当接して消火栓扉の左右方向の位置決めを行う長さに設定されていることに特徴がある。
【００２３】
本発明の請求項３に記載の消火栓格納箱は、請求項１に記載の消火栓格納箱において、前記左右の支持部材の支持片は、支持片の先端部上面に形成され、消火栓扉が前方へ傾倒したときに左右の離脱防止部材の一部が挿入係止される係止溝と、支持片の先端部上面に上方へ突出する姿勢で形成され、消火栓扉が前方へ傾倒したときに左右の離脱防止部材が支持片から抜けるのを防止する抜け止め突起の何れか一方又は両方を備えていることに特徴がある。
【００２４】
本発明の請求項４に記載の消火栓格納箱は、前面が開口された格納箱本体と、格納箱本体の開口側内周縁部に設けた扉取り付け部に締付具を介して取り付けられる扉枠及び当該扉枠に開閉自在に設けられて格納箱本体の開口を開閉する一枚若しくは複数枚の扉板から成る消火栓扉と、を備えた消火栓格納箱であって、前記格納箱本体の扉取り付け部と消火栓扉の扉枠との間に、扉枠の後端部が格納箱本体内に嵌め込まれた状態で消火栓扉を格納箱本体に支持する扉支持手段を設け、当該扉支持手段は、格納箱本体の上側の内面中央位置に設けられ、先端部が下方を向く垂直姿勢に形成された支持部材と、扉枠の格納箱本体内に嵌め込まれる後端部の上辺中央位置に形成され、支持部材の先端部が挿入係止される開口状の切り込み部と、を備えていることに特徴がある。
【００２５】
本発明の請求項５に記載の消火栓格納箱は、前面が開口された格納箱本体と、格納箱本体の開口側内周縁部に設けた扉取り付け部に締付具を介して取り付けられる扉枠及び当該扉枠に開閉自在に設けられて格納箱本体の開口を開閉する一枚若しくは複数枚の扉板から成る消火栓扉と、を備えた消火栓格納箱であって、前記格納箱本体の扉取り付け部と消火栓扉の扉枠との間に、扉枠の後端部が格納箱本体内に嵌め込まれた状態で消火栓扉を格納箱本体に支持する扉支持手段を設け、当該扉支持手段は、格納箱本体の上側の扉取り付け部の中央位置に設けられ、先端部が前方を向く水平姿勢に形成されていると共に、水平姿勢の先端部に扉枠の納箱本体内に嵌め込まれる後端部の上辺が支持される支持部材を備えていることに特徴がある。
【００２６】
本発明の請求項６に記載の消火栓格納箱は、請求項５に記載の消火栓格納箱において、前記支持部材は、格納箱本体の上側の扉取り付け部に一体的に設けられており、上側の扉取り付け部の中央部を延設して前方へ折り曲げ加工することにより形成されていることに特徴がある。
【００２７】
本発明の請求項７に記載の消火栓格納箱は、請求項１、請求項４又は請求項の何れかに記載の消火栓格納箱において、前記消火栓扉は、扉枠に支持軸を介して縦開き可能に支持される扉板を備え、当該扉板が支持される扉枠の左辺及び右辺に支持軸が挿通されるピン孔をそれぞれ形成し、一方のピン孔を円形ピン孔とすると共に、他方のピン孔を縦長ピン孔としたことに特徴がある。
【発明の効果】
【００２８】
本発明の請求項１に係る消火栓格納箱は、格納箱本体の扉取り付け部と消火栓扉の扉枠との間に、扉枠の後端部が格納箱本体内に嵌め込まれた状態で消火栓扉を格納箱本体に支持する扉支持手段を設けているため、建物内の壁面等に設置された格納箱本体に消火栓扉を取り付ける際に、扉支持手段により消火栓扉を格納箱本体に支持することができるので、格納箱本体から消火栓扉が離脱すると言うことがなく、一人で消火栓扉の取り付け作業を行えると共に、建設現場の施工性の大幅な向上を図れる。
【００２９】
また、本発明の請求項１に係る消火栓格納箱は、扉支持手段が、格納箱本体の左右の扉取り付け部にそれぞれ設けられ、格納箱本体の左右の内面と扉枠の格納箱本体内に嵌め込まれた後端部との間に位置する左右の支持部材と、扉枠の格納箱本体内に嵌め込まれる後端部の左右位置に左右方向へ張り出した状態で設けられ、左右の支持部材にそれぞれ支持される左右の離脱防止部材と、を備えているため、従来の消火栓格納箱のように、細長くて作業者側から見えないフック挿入用スリットに板状の支持用フックを挿入すると言う作業を必要とすることがなく、扉枠の後端部を格納箱本体に嵌め込むだけで、左右の支持部材に左右の離脱防止部材が支持され、消火栓扉が扉支持手段を介して格納箱本体に支持された状態になる。その結果、本発明の請求項１に係る消火栓格納箱は、消火栓扉を格納箱本体にセットするのに時間がかかると言うことがなく、格納箱本体に消火栓扉を簡単且つ容易にセットできて施工性の向上を図れる。
【００３０】
更に、本発明の請求項１に係る消火栓格納箱は、左右の支持部材が扉枠の外方に位置し、扉板が回転したときに左右の支持部材が扉板に干渉することがないため、左右の支持部材の前後方向の長さを長く設定することができる。その結果、本発明の消火栓格納箱は、格納箱本体が施工時の誤差で壁面に対して前後にずれた状態で設置された場合でも、左右の支持部材に左右の離脱防止部材が確実に支持されると共に、扉板が回転するときに左右の支持部材に干渉すると言うことがなく、格納箱本体に消火栓扉を確実且つ良好に取り付けることができる。
【００３１】
更に、本発明の請求項２に係る消火栓格納箱は、扉支持手段の左右の離脱防止部材が、扉枠の左側方向及び右側方向へ張り出してその先端が格納箱本体の内面に当接して消火栓扉の左右方向の位置決めをするようにしているため、格納箱本体に消火栓扉を嵌め込むだけで、左右の支持部材及び左右の離脱防止部材により消火栓扉が格納箱本体に対して適正な位置にセットされて支持されることになり、従来の消火栓格納箱のように作業者が格納箱本体に対して消火栓扉を位置合わせしながら持ち続けると言う作業をする必要がなく、格納箱本体への消火栓扉の取り付けをより一層簡単且つ容易に行える。
【００３２】
更に、本発明の請求項３に係る消火栓格納箱は、格納箱本体に設けた左右の支持部材が支持片を備え、当該支持片に、消火栓扉が前方へ傾倒したときに左右の離脱防止部材の一部が挿入係止される係止溝と、同じく消火栓扉が前方へ傾倒したときに左右の離脱防止部材が支持片から抜けるのを防止する抜け止め突起の何れか一方又は両方を設けているため、格納箱本体への消火栓扉の取り付け作業時に、万が一消火栓扉が前方へ傾倒して消火栓扉に格納箱本体から引き離す力が加わった場合でも、消火栓扉が格納箱本体から離脱するのを防止することができ、作業者が安全に作業を行える。
【００３３】
本発明の請求項４に係る消火栓格納箱は、格納箱本体の扉取り付け部と消火栓扉の扉枠との間に、扉枠の後端部が格納箱本体内に嵌め込まれた状態で消火栓扉を格納箱本体に支持する扉支持手段を設け、当該扉支持手段が、格納箱本体の上側の内面中央位置に設けられ、先端部が下方を向く垂直姿勢に形成された支持部材と、扉枠の格納箱本体内に嵌め込まれる後端部の上辺中央位置に形成され、支持部材の先端部が挿入係止される開口状の切り込み部と、を備えているため、従来の消火栓格納箱のように、細長くて作業者側から見えないフック挿入用スリットに板状の支持用フックを挿入すると言う作業を必要とすることがなく、また、扉板が回転するときに支持部材に干渉すると言うことがない。その結果、本発明の請求項４に係る消火栓格納箱は、請求項１に係る消火栓格納箱と同様の作用効果を奏することができる。
【００３４】
本発明の請求項５に係る消火栓格納箱は、格納箱本体の扉取り付け部と消火栓扉の扉枠との間に、扉枠の後端部が格納箱本体内に嵌め込まれた状態で消火栓扉を格納箱本体に支持する扉支持手段を設け、当該扉支持手段が、格納箱本体の上側の扉取り付け部の中央位置に設けられ、先端部が前方を向く水平姿勢に形成されていると共に、水平姿勢の先端部に扉枠の納箱本体内に嵌め込まれる後端部の上辺が支持される支持部材を備えているため、従来の消火栓格納箱のように、細長くて作業者側から見えないフック挿入用スリットに板状の支持用フックを挿入すると言う作業を必要とすることがなく、また、扉板が回転するときに支持部材に干渉すると言うことがない。その結果、本発明の請求項５に係る消火栓格納箱は、請求項１に係る消火栓格納箱と同様の作用効果を奏することができる。
【００３５】
また、本発明の請求項６に係る消火栓格納箱は、支持部材が扉取り付け部に一体的に形成されて折り曲げ加工することにより形成されているため、部品点数の削減を図れる。
【００３６】
本発明の請求項７に係る消火栓格納箱は、縦開き可能な扉板が支持される扉枠の左辺及び右辺に支持軸が挿通されるピン孔をそれぞれ形成し、一方のピン孔を円形ピン孔とすると共に、他方のピン孔を縦長ピン孔としているため、扉板の左右何れか一方の端部を支持軸及び円形ピン孔により扉枠に回動自在に支持した後、扉板をその他方の端部が一方の端部よりも上方及び後方に位置するように傾斜させ、この状態で扉板の他方の端部に挿通した支持軸をその先端が扉枠の内面に接するように押しながら、扉板を前方へ移動させると、支持軸が必ず扉枠の縦長ピン孔を貫通する位置を通過することになり、支持軸の先端部が扉枠の縦長ピン孔に円滑且つスムースに挿通されることになる。その結果、本発明の請求項７に係る消火栓格納箱は、従来の消火栓格納箱のように、回転軸を円形の回転軸孔に貫通させる場合に比較して、支持軸を縦長ピン孔へ円滑且つスムースに貫通させることができ、扉枠に縦開き可能な扉板を容易に取り付けることができる。
【図面の簡単な説明】
【００３７】
【図１】本発明の第１の実施形態に係る消火栓格納箱を建物内の壁面に設置し、下方の扉板を開放した状態を示し、（Ａ）は消火栓格納箱の正面図、（Ｂ）は消火栓格納箱の側面図、（Ｃ）は消火栓格納箱の平面図である。
【図２】消火栓格納箱の格納箱本体を示し、（Ａ）は格納箱本体の正面図、（Ｂ）は格納箱本体の側面図、（Ｃ）は格納箱本体の平面図である。
【図３】消火栓格納箱の消火栓扉を示し、（Ａ）は消火栓扉の正面図、（Ｂ）は消火栓扉の側面図、（Ｃ）は消火栓扉の平面図である。
【図４】格納箱本体の要部を示し、（Ａ）は格納箱本体の要部の正面図、（Ｂ）は格納箱本体の要部の縦断側面図、（Ｃ）は格納箱本体の要部の一部切欠き平面図である。
【図５】消火栓扉の要部を示し、（Ａ）は消火栓扉を裏面側から見た消火栓扉の要部の正面図、（Ｂ）は消火栓扉の要部の側面図、（Ｃ）は消火栓扉の要部の平面図である。
【図６】上方の扉板を取り外した状態の消火栓扉の要部を示し、（Ａ）は消火栓扉の要部の正面図、（Ｂ）は消火栓扉の要部の一部切欠き側面図、（Ｃ）は消火栓扉の要部の一部切欠き平面図である。
【図７】消火栓扉の扉枠に上方の扉板を取り付ける状態を示し、（Ａ）は上方の扉板を傾斜させた状態の消火栓扉の要部の正面図、（Ｂ）は同じく消火栓扉の要部の一部切欠き側面図、（Ｃ）は同じく消火栓扉の要部の一部切欠き平面図である。
【図８】同じく消火栓扉の扉枠に上方の扉板を取り付ける状態を示し、（Ａ）は上方の扉板を手前へ引いた状態の消火栓扉の要部の正面図、（Ｂ）は同じく消火栓扉の要部の一部切欠き側面図、（Ｃ）は同じく消火栓扉の要部の一部切欠き平面図である。
【図９】同じく消火栓扉の扉枠に上方の扉板を取り付ける状態を示し、（Ａ）はＬ字状の支持軸を縦長ピン孔に挿入した状態の消火栓扉の要部の正面図、（Ｂ）は同じく消火栓扉の要部の一部切欠き側面図、（Ｃ）は同じく消火栓扉の要部の一部切欠き平面図である。
【図１０】同じく消火栓扉の扉枠に上方の扉板を取り付ける状態を示し、（Ａ）は上方の扉板を押し下げた状態の消火栓扉の要部の正面図、（Ｂ）は同じく消火栓扉の要部の一部切欠き側面図、（Ｃ）は同じく消火栓扉の要部の一部切欠き平面図である。
【図１１】同じく消火栓扉の扉枠に上方の扉板を取り付ける状態を示し、（Ａ）は上方の扉板を閉じた状態の消火栓扉の要部の正面図、（Ｂ）は同じく消火栓扉の要部の一部切欠き側面図、（Ｃ）は同じく消火栓扉の要部の一部切欠き平面図である。
【図１２】格納箱本体に消火栓扉を取り付ける状態を示し、（Ａ）は格納箱本体の要部の縦断側面図、（Ｂ）は格納箱本体に消火栓扉を嵌め込んだ消火栓格納箱の要部の縦断側面図である。
【図１３】同じく格納箱本体に消火栓扉を取り付ける状態を示し、（Ａ）は扉支持手段により消火栓扉が格納箱本体に保持された状態の消火栓格納箱の要部の縦断側面図、（Ｂ）は格納箱本体と消火栓扉とを締付具により締め付け固定した状態の消火栓格納箱の要部の縦断側面図である。
【図１４】消火栓扉が自重により前方へ傾倒し、離脱防止部材の一部が支持部材の係止溝に挿入係止された状態の消火栓格納箱の要部の縦断側面図である。
【図１５】扉支持手段により消火栓扉が格納箱本体に支持された状態を示し、（Ａ）は消火栓格納箱の一部切欠き平面図、（Ｂ）は格納箱本体に対して消火栓扉が右方向へ移動し、離脱防止部材により位置決めされた状態の消火栓格納箱の一部切欠き平面図である。
【図１６】消火栓格納箱の要部を示し、（Ａ）は格納箱本体が壁面よりも前に出た状態の消火栓格納箱の要部の縦断側面図、（Ｂ）は格納箱本体が壁面よりも奥に入った状態の消火栓格納箱の要部の縦断側面図、（Ｃ）は消火栓格納箱の要部の一部切欠き平面図である。
【図１７】本発明の第２の実施形態に係る消火栓格納箱を建物内の壁面に設置した状態を示し、（Ａ）は消火栓格納箱の正面図、（Ｂ）は消火栓格納箱の側面図、（Ｃ）は消火栓格納箱の平面図である。
【図１８】図１７に示す消火栓格納箱の要部の縦断側面図である。
【図１９】図１７に示す消火栓扉の要部を示し、（Ａ）は消火栓扉を裏面側から見た消火栓扉の要部の正面図、（Ｂ）は消火栓扉の要部の側面図、（Ｃ）は消火栓扉の要部の平面図である。
【図２０】本発明の第３の実施形態に係る消火栓格納箱の要部の縦断側面図である。
【図２１】図２０に示す消火栓格納箱の格納箱本体の要部を示し、（Ａ）は格納箱本体の要部の正面図、（Ｂ）は格納箱本体の要部の一部切欠き平面図である。
【図２２】図２０に示す消火栓格納箱の消火栓扉を格納箱本体に嵌め込む状態を示す消火栓格納箱の要部の縦断側面図である。
【図２３】本発明の第４の実施形態に係る消火栓格納箱を示し、（Ａ）格納箱本体に消火栓扉を嵌め込む状態を示す格納箱消火栓の要部の縦断側面図、（Ｂ）は扉支持手段により消火栓扉が格納箱本体に支持された状態の格納箱消火栓の要部の縦断側面図である。
【図２４】図２３に示す消火栓格納箱の格納箱本体の要部を示し、（Ａ）は格納箱本体の要部の正面図、（Ｂ）は格納箱本体の要部の一部切欠き平面図である。
【図２５】扉支持手段の変形例を示し、（Ａ）は支持部材の支持片に係止溝のみを形成した扉支持手段を備えた格納箱消火栓の要部の縦断側面図、（Ｂ）は支持部材の支持片に抜け止め突起のみを形成した扉支持手段を備えた格納箱消火栓の要部の縦断側面図である。
【図２６】扉支持手段の別の変形例を示し、（Ａ）は支持部材を支持片のみで形成し、扉取り付け部に固定した状態の格納箱本体の要部の正面図、（Ｂ）は同じく格納箱本体の要部の縦断側面図、（Ｃ）は同じく格納箱本体の要部の一部切欠き平面図である。
【図２７】扉支持手段の更に別の変形例を示し、（Ａ）は支持部材を断面形状が矩形の棒状部材により形成し、扉取り付け部に固定した状態の格納箱本体の要部の正面図、（Ｂ）は同じく格納箱本体の要部の縦断側面図、（Ｃ）は同じく格納箱本体の要部の一部切欠き平面図である。
【図２８】従来の消火栓格納箱の一部省略横断面図である。
【図２９】消火栓扉が自重により前方へ傾倒する状態を示す従来の消火栓格納箱の側面図である。
【図３０】従来の他の消火栓格納箱の要部を示し、（Ａ）は消火栓格納箱の要部の縦断側面図、（Ｂ）は消火栓格納箱の要部の一部切欠き平面図である。
【図３１】図３０に示す消火栓格納箱の要部を示し、（Ａ）は格納箱本体が壁面よりも奥に入った状態の消火栓格納箱の要部の一部切欠き平面図、（Ｂ）は格納箱本体が壁面よりも前に出た状態の消火栓格納箱の要部の一部切欠き平面図である。
【発明を実施するための形態】
【００３８】
以下、本発明の実施形態を図面に基づいて詳細に説明する。
図１〜図１６は本発明の第１の実施形態に係る消火栓格納箱１を示し、当該消火栓格納箱１は、ホテルやデパート、オフィスビル、商業ビル、マンション、病院、学校、劇場、旅館、工場、倉庫、駅等の建物内の壁面Ｗに埋設状態で設置され、内部に消火活動に使用される消防用ホース２やノズル３、消火栓弁４、ツインローラ式のホース格納器具５等を格納したものである。
【００３９】
即ち、前記消火栓格納箱１は、建物内の廊下等の壁面Ｗに埋設状態で設置され、前面が開口された格納箱本体６と、格納箱本体６の開口側内周縁部に設けた扉取り付け部６ｆにビス７ａ及びナット７ｂから成る締付具７（図１３（Ｂ）参照）を介して取り付けられる扉枠８及び当該扉枠８に開閉自在に設けられて格納箱本体６の開口を開閉する二枚の扉板９，１０から成る消火栓扉１１と、を備えており、前記格納箱本体６の扉取り付け部６ｆと消火栓扉１１の扉枠８との間に、扉枠８の一部分が格納箱本体６内に嵌め込まれた状態で消火栓扉１１を格納箱本体６に支持する扉支持手段１２を設けたものである。
【００４０】
前記格納箱本体６は、図２に示す如く、鋼板により前面が開口された矩形のボックス状に形成されており、左右の側板６ａと、天板６ｂと、底板６ｃと、背板６ｄと、を備えている。この格納箱本体６の表面には、塗装（例えば、メラミン樹脂やアクリル樹脂等の焼付塗装）が施されている。
【００４１】
また、格納箱本体６内の空間は、格納箱本体６内に水平姿勢で配設した鋼板製の仕切板６ｅによって、消防用ホース２やノズル３、消火栓弁４、ホース格納器具５等が収容される下部収容空間と、制御盤や火災報知機等が収容される上部収容空間とに区画されている。
【００４２】
更に、格納箱本体６の開口側内周縁部には、消火栓扉１１の扉枠８を取り付けるためのアングル形状の扉取り付け部６ｆが設けられている。
【００４３】
前記扉取り付け部６ｆは、格納箱本体６の左右の側板６ａの開口側内周縁部及び天板６ｂの開口側内周縁部にそれぞれ設けられており、図４に示す如く、左右の側板６ａの前端部及び天板６ｂの前端部を格納箱本体６の内方側へそれぞれＬ字状に折り曲げることにより形成されている。この扉取り付け部６ｆは、格納箱本体６と別体に形成し、格納箱本体６の左右の側板６ａ及び天板６ｂに溶接により固定するようにしても良い。
【００４４】
また、扉取り付け部６ｆには、締付具７のビス７ａが挿通される複数のビス孔１３と、扉支持手段１２の支持部材１２Ａが挿通支持される縦長のスリット孔１４とがそれぞれ形成されている。
【００４５】
本実施形態では、ビス孔１３は、左側及び右側の扉取り付け部６ｆの前面を向く部分に所定間隔ごとにそれぞれ三つずつ形成されていると共に、上側の扉取り付け部６ｆの前面を向く部分に所定の間隔を空けて二つ形成されている（図２（Ａ）参照）。また、縦長のスリット孔１４は、左側及び右側の扉取り付け部６ｆの上端部で且つ前面を向く部分にそれぞれ形成されている（図２（Ａ）参照）。尚、各ビス孔１３の内径は、ビス７ａの外径よりも若干大きめに形成されている。
【００４６】
一方、前記消火栓扉１１は、図３に示す如く、格納箱本体６の開口側内周縁部に形成した扉取り付け部６ｆに複数の締付具７により取り付けられる扉枠８と、扉枠８に前方へ開閉自在に設けられた下方の扉板９と、下方の扉板９の上側位置において扉枠８に縦開き開閉自在に設けられた上方の扉板１０と、を備えている。
【００４７】
前記扉枠８は、鋼板により四角枠状に形成されており、扉枠８の内周縁部には、扉枠８を締付具７により格納箱本体６の扉取り付け部６ｆに取り付けるためのアングル形状の連結部８ｂが設けられている。この連結部８ｂには、格納箱本体６の扉取り付け部６ｆに形成した複数のビス孔１３にそれぞれ合致する複数のビス孔１５が形成されている。これらのビス孔１５の内径は、ビス７ａの外径よりも若干大きめに形成されている。
【００４８】
具体的には、扉枠８は、図３、図５及び図１２（Ｂ）に示す如く、断面形状がコ字状の鋼板材により枠状に形成され、外周側の後端が格納箱本体６を設置した壁面Ｗに当接し得る枠部８ａと、枠部８ａの内周側の後端に連設され、断面形状がＬ字状の連結部８ｂと、左側の連結部８ｂと右側の連結部８ｂの上部間に架設された水平姿勢の扉板用仕切板８ｃと、を備えている。この扉枠８の表面には、格納箱本体６と同じ塗装（例えば、メラミン樹脂やアクリル樹脂等の焼付塗装）が施されている。
【００４９】
また、扉枠８の扉板用仕切板８ｃの右側端部には、下方の扉板９を前方へ開閉自在に支持するＬ字状の支持軸１６が挿通される縦向きの円形ピン孔１７（図６（Ａ）参照）が形成されていると共に、扉枠８の枠部８ａの下辺右側端部には、前記円形ピン孔１７に対向し、下方の扉板９を前方へ開閉自在に支持するピン状の支持軸１８（図１（Ａ）参照）が挿通される縦向きの円形ピン孔（図示省略）が形成されている。
【００５０】
更に、扉枠８の枠部８ａの左辺上端部には、上方の扉板１０を縦開き開閉自在に支持するＬ字状の支持軸１６が挿通される縦長ピン孔１９（図６参照）が形成されていると共に、扉枠８の枠部８ａの右辺上端部には、前記縦長ピン孔１９に対向し、上方の扉板１０を縦開き開閉自在に支持するピン状の支持軸１８が挿通される横向きの円形ピン孔２０（図６参照）が形成されている。この横向きの円形ピン孔２０は、縦長ピン孔１９の下端部開口と合致するようになっている。
【００５１】
前記下方の扉板９及び上方の扉板１０は、何れも鋼板によりそれぞれ形成されており、強度を高めるために外周縁部が背面側へコ字状に折り曲げられている。この下方の扉板９及び上方の扉板１０の表面には、格納箱本体６と同じ塗装（例えば、メラミン樹脂やアクリル樹脂等の焼付塗装）がそれぞれ施されている。
【００５２】
また、下方の扉板９及び上方の扉板１０には、扉枠８の枠部８ａ及び扉板用仕切板８ｃにそれぞれ形成した縦向きの円形ピン孔１７、縦長ピン孔１９及び横向きの円形ピン孔２０にそれぞれ合致し得る円形ピン孔２１（図６（Ａ）参照）がそれぞれ形成されている。
【００５３】
更に、下方の扉板９には、ロック機構（図示省略）付きの取っ手２２と、下方の扉板９を補強するチャンネル形状の補強部材２３とが、また、上方の扉板１０には、表示灯２４と、発信機２５とがそれぞれ設けられている（図１及び図３参照）。
【００５４】
そして、前記下方の扉板９及び上方の扉板１０は、何れもＬ字状の支持軸１６とピン状の支持軸１８とにより扉枠８に開閉自在に取り付けられている。
【００５５】
前記Ｌ字状の支持軸１６は、下方の扉板９の背面（裏面）上方位置及び上方の扉板１０の背面（裏面）上方位置に溶接により固定した軸受部材２６に回転自在且つスライド自在に支持されている（図５及び図６参照）。
【００５６】
前記軸受部材２６は、図５に示す如く、下方の扉板９又は上方の扉板１０の背面に溶接により固定された基板２６ａと、基板２６ａにコ字状に折り曲げ形成され、Ｌ字状の支持軸１６の一部を軸線周りに回転可能且つ長さ方向に移動可能に支持するコ字状の軸受片２６ｂと、基板２６ａに折り曲げ形成され、コ字状の軸受片２６ｂとでＬ字状の支持軸１６を支持する板状の軸受片２６ｃと、基板２６ａに折り曲げ形成され、Ｌ字状の支持軸１６を係止して抜け止めする係止片２６ｄと、を備えている。
【００５７】
而して、前記下方の扉板９は、当該下方の扉板９を扉枠８内に配置し、下方の扉板９に形成した各円形ピン孔２１を扉枠８の枠部８ａ及び扉板用仕切板８ｃに形成した各円形ピン孔１７にそれぞれ合致させ、合致する各円形ピン孔１７，２１にＬ字状の支持軸１６とピン状の支持軸１８とをそれぞれ挿通することによって、Ｌ字状の支持軸１６周り及びピン状の支持軸１８周りで且つ扉枠８に前方へ開閉可能に支持されることになる（図６参照）。このとき、Ｌ字状の支持軸１６の一部は、コ字状の軸受片２６ｂと係止片２６ｄとの間に挟まれるようにして係止されている。
【００５８】
一方、前記上方の扉板１０は、当該上方の扉板１０を扉枠８内に配置し、上方の扉板１０に形成した各円形ピン孔２１を扉枠８の枠部８ａに形成した縦長ピン孔１９及び横向きの円形のピン孔２０にそれぞれ合致させ、合致する各円形ピン孔２０，２１にピン状の支持軸１８を挿通すると共に、合致する縦長ピン孔１９と円形ピン孔２１にＬ字状の支持軸１６を挿通することによって、Ｌ字状の支持軸１６周り及びピン状の支持軸１８周りで且つ扉枠８に縦開き可能に支持されている（図１１参照）。このとき、Ｌ字状の支持軸１６の一部は、コ字状の軸受片２６ｂと係止片２６ｄとの間に挟まれるようにして係止されている。
【００５９】
尚、上記の実施形態においては、扉枠８の枠部８ａにＬ字状の支持軸１６が挿通される縦長ピン孔１９を形成しているため、従来の消火栓格納箱のように、扉枠にＬ字状の支持軸が挿通される円形状のピン孔を形成した場合に比較して、扉枠８への上方の扉板１０の取り付けを容易に行えることになる。
【００６０】
即ち、図７〜図１１に示す如く、上方の扉板１０の右側端部をピン状の支持軸１８により扉枠８の枠部８ａに回動自在に支持した後、正面視においてＬ字状の支持軸１６を設けた上方の扉板１０の左側端部が右側端部よりも上方に位置するように傾斜させると共に、平面視において上方の扉板１０の左側端部が右側端部よりも後方に位置するように傾斜させ、この状態で軸受部材２６に支持されたＬ字状の支持軸１６をその先端が扉枠８の内周内板に当接するように左側方向へ押しながら、上方の扉板１０を前方へ移動させる。そうすると、Ｌ字状の支持軸１６が必ず扉枠８の縦長ピン孔１９を貫通する位置を通過することになり、Ｌ字状の支持軸１６の先端部が扉枠８の枠部８ａに形成した縦長ピン孔１９に挿通されることになる。Ｌ字状の支持軸１６の先端部が枠部８ａの縦長ピン孔１９に挿通されたら、上方の扉板１０の左側端部を押し下げて上方の扉板１０を水平姿勢にした後、上方の扉板１０を下方へ回動させて鉛直姿勢にする。
【００６１】
このように、扉枠８の枠部８ａに縦長ピン孔１９を形成すると、Ｌ字状の支持軸１６を円形のピン孔に貫通させる場合に比較して、Ｌ字状の支持軸１６を縦長ピン孔１９へ容易に貫通させることができ、上方の扉板１０を扉枠８に容易に取り付けることができる。
【００６２】
前記扉支持手段１２は、図４、図５及び図１２〜図１５に示す如く、格納箱本体６の上部左右位置に設けられ、格納箱本体６内に位置する左右の支持部材１２Ａと、消火栓扉１１の格納箱本体６内に嵌合される扉枠８の後端部（扉枠８の連結部８ｂ）で且つ上部左右位置に設けられ、前記左右の支持部材１２Ａに支持される左右の離脱防止部材１２Ｂと、を備えている。
【００６３】
即ち、前記左右の支持部材１２Ａは、格納箱本体６の左側及び右側の扉取り付け部６ｆの上端部に着脱自在に設けられ、また、前記左右の離脱防止部材１２Ｂは、扉枠８の上側の連結部８ｂの両側（左右位置）に側方へ張り出した状態で一体的に設けられている。
【００６４】
具体的には、左右の支持部材１２Ａは、図４に示す如く、金属板をＬ字状に折り曲げることにより形成されており、格納箱本体６の左側及び右側の扉取り付け部６ｆの上端部に形成した縦長のスリット孔１４に後方から挿通されて前方に突出し、扉枠８の連結部８ｂに設けた離脱防止部材１２Ｂが支持載置される板状の支持片１２ａと、支持片１２ａに直角に連設されて扉取り付け部６ｆの背面に面接触状態で係止される板状の係止片１２ｂと、を備えている。
【００６５】
また、左右の支持部材１２Ａの支持片１２ａは、支持片１２ａの先端部上面に形成され、消火栓扉１１が自重等により前方へ傾倒したときに扉枠８に設けた離脱防止部材１２Ｂの一部が挿入係止される係止溝１２ｃと、係止溝１２ｃの前方位置で且つ支持片１２ａの先端部上面に上方へ突出する姿勢で形成され、消火栓扉１１が自重等により前方へ傾倒したときに離脱防止部材１２Ｂが支持片１２ａから抜けるのを防止する抜け止め突起１２ｄと、を備えている（図１４参照）。
【００６６】
一方、左右の離脱防止部材１２Ｂは、図５に示す如く、扉枠８の上辺の連結部８ｂの左右の両端部に、扉枠８の左辺及び右辺の連結部８ｂよりも側方へ張り出した状態で一体的に設けられており、正面形状が矩形状、平面形状が三角形状、側面形状が逆Ｌ字状に形成されている。この離脱防止部材１２Ｂの張り出し方向の長さは、扉枠８の後端部（連結部８ｂ）を格納箱本体６内に嵌め込んだときに、離脱防止部材１２Ｂの先端と格納箱本体６の内面との間に若干の隙間が形成されるように設定されており、消火栓扉１１を格納箱本体６に対して左右方向へ一定量だけ移動させることができるようにすると共に、消火栓扉１１を左右方向へ一定量移動させたときに、離脱防止部材１２Ｂの先端が格納箱本体６の左側若しくは右側の内面に当接して消火栓扉１１の左右方向の位置決めを行えるようになっている（図１５参照）。前記左右の離脱防止部材１２Ｂは、連結部８ｂと別体に形成し、溶接等により連結部８ｂに固定するようにしても良い。
【００６７】
尚、前記消火栓格納箱１において、消火栓扉１１を格納箱本体６に対して左右方向へ一定量だけ移動できるようにしたのは、パネルやタイルで仕上げる壁に消火栓格納箱１を設置する場合、格納箱本体６の周囲の目地の位置が若干変わっても、扉枠８を左右方向へ若干移動調整することによって、格納箱本体６に隣接する左右の目地と消火栓扉１１との間隔を同じにし、視覚的なバランスを崩さないようにするためである。
また、消火栓扉１１を格納箱本体６に対して左右方向へ若干量移動させても、扉取り付け部６ｆのビス孔１３と連結部８ｂのビス孔１５とにビス７ａを挿入できるように、両ビス孔１３，１５の大きさが決められている。
【００６８】
更に、前記消火栓格納箱１は、左右の支持部材１２Ａが扉枠８の外方に位置し、扉板９，１０が回転したときに左右の支持部材１２Ａが扉板９，１０に干渉することがないため、左右の支持部材１２Ａの前後方向の長さを長く設定することができる。その結果、消火栓格納箱１は、図１６（Ａ）及び（Ｂ）に示す如く、格納箱本体６が施工時の誤差で壁面Ｗに対して前後にずれた状態で設置された場合でも、左右の支持部材１２Ａに左右の離脱防止部材１２Ｂが確実に支持され、また、図１６（Ｃ）に示す如く、扉板９が回転するときに左右の支持部材１２Ａに干渉すると言うことがなく、格納箱本体６に消火栓扉１１を確実且つ良好に取り付けることができる。
【００６９】
尚、従来の支持用フック４０を設けた消火栓格納箱３０では、格納箱本体３１の前前後方向の調整代が１０ｍｍ程度であるが、図１〜図１５に示す消火栓格納箱１は、左右の支持部材１２Ａの長さを１１ｍｍ程度長くすることが可能となり、格納箱本体６の前前後方向の調整代が２１ｍｍ程度となる。
【００７０】
次に、上述した消火栓格納箱１において、建物内の壁面Ｗに埋設状態で設置固定された格納箱本体６に消火栓扉１１を取り付ける場合について説明する。
【００７１】
先ず、作業者は、扉枠８に下方の扉板９を取り付けた消火栓扉１１を持ち、建物の壁面Ｗに埋設状態で設置した格納箱本体６内に前記消火栓扉１１の扉枠８の後端部（連結部８ｂ）を嵌め込み、格納箱本体６に設けた左右の支持部材１２Ａに、扉枠８に設けた左右の離脱防止部材１２Ｂを支持させる（図１２（Ｂ）及び図１３（Ａ）参照）。これにより、消火栓扉１１は、扉枠８の後端部（連結部８ｂ）が格納箱本体６内に嵌め込まれた状態で格納箱本体６に支持される。
【００７２】
このとき、扉枠８の後端部を格納箱本体６に嵌め込むだけで、左右の支持部材１２Ａに左右の離脱防止部材１２Ｂが支持され、消火栓扉１１が扉支持手段１２を介して格納箱本体６に支持された状態になるため、消火栓扉１１を格納箱本体６にセットするのに時間がかかると言うことがなく、格納箱本体６に消火栓扉１１を簡単且つ容易にセットできて施工性の向上を図れる。
【００７３】
また、扉枠８に設けた左右の離脱防止部材１２Ｂが、扉枠８の左側方向及び右側方向へ張り出して位置決め機能を有しているため、消火栓扉１１が格納箱本体６に対して左右方向へずれようとしても、左右の離脱防止部材１２Ｂの先端が格納箱本体６の内面に当接し、消火栓扉１１が格納箱本体６に対して左右方向へ大きくずれるのが防止される。その結果、消火栓扉１１は、扉枠８の後端部を格納箱本体６内に嵌め込むだけで、左右の支持部材１２Ａ及び左右の離脱防止部材１２Ｂにより上下方向及び左右方向の位置決めが行われ、格納箱本体６の扉取り付け部６ｆに形成した複数のビス孔１３と扉枠８の連結部８ｂに形成したビス孔１５とがそれぞれ合致することになり、格納箱本体６の適正な位置にセットされて支持されることになる。
【００７４】
作業者は、消火栓扉１１が扉支持手段１２により格納箱本体６に支持されたら、ビス止め作業を行うために扉枠８に取り付けている下方の扉板９を大きく開放し、消火栓扉１１に設けた連結部８ｂ及び格納箱本体６に設けた扉取り付け部６ｆの各ビス孔１３，１５にそれぞれビス７ａを挿通し、各ビス７ａにナット７ｂを締め込む。これにより格納箱本体６に消火栓扉１１が取り付けられる（図１３（Ｂ）参照）。
【００７５】
尚、ビス止め作業において、下方の扉板９を大きく開放したときに、下方の扉板９の重みにより消火栓扉１１が前方へ傾倒しようとするが、左右の支持部材１２Ａの支持片１２ａに設けた係止溝１２ｃに左右の離脱防止部材１２Ｂの一部が挿入係止されたり、或いは、左右の支持部材１２Ａの支持片１２ａに設けた抜け止め突起１２ｄにより左右の離脱防止部材１２Ｂが支持片１２ａから抜けるのを防止されたりすることになり、消火栓扉１１が格納箱本体６から離脱するのを確実に防止することができ、作業者が安全に作業を行える（図１４参照）。
【００７６】
作業者は、格納箱本体６に消火栓扉１１を複数の締付具７により取り付けたら、上方の扉板１０を下方の扉板９の上側において扉枠８にピン状の支持軸１８及びＬ字状の支持軸１６を用いて縦開き開へ自在に取り付ける。
【００７７】
このとき、Ｌ字状の支持軸１６が挿通される扉枠８のピン孔を縦長ピン孔１９に形成しているため、図７〜１１図に示すように上方の扉板１０を斜めに傾斜させ、この状態でＬ字状の支持軸１６を側方へ押しながら、上方の扉板１０を手前へ引く。そうすると、Ｌ字状の支持軸１６が必ず扉枠８の縦長ピン孔１９を貫通する位置を通過することになり、Ｌ字状の支持軸１６の先端部が扉枠８の縦長ピン孔１９に挿通されることになる。その結果、扉枠８内への上方の扉板１０の嵌め込み作業を容易に行えることになる。
【００７８】
このように、上述した消火栓格納箱１は、消火栓扉１１を格納箱本体６に支持する扉支持手段１２を備えているため、格納箱本体６に消火栓扉１１を取り付ける際に、扉支持手段１２により消火栓扉１１を格納箱本体６に支持することができるので、格納箱本体６から消火栓扉１１が離脱すると言うことがなく、一人で消火栓扉１１の取り付け作業を行えると共に、建設現場の施工性の大幅な向上を図れる。
【００７９】
図１７〜図１９は本発明の第２の実施形態に係る消火栓格納箱１を示し、当該消火栓格納箱１は、扉支持手段１２を設ける位置を変えたものであり、扉支持手段１２の左右の支持部材１２Ａを格納箱本体６の仕切板６ｅ近くに着脱自在に設けると共に、扉支持手段１２の左右の離脱防止部材１２Ｂを消火栓扉１１の扉板用仕切板８ｃ近くに設けたものである。
【００８０】
即ち、左右の支持部材１２Ａは、図４に示す支持部材１２Ａと同じ大きさ及び同じ形状に形成されており、格納箱本体６の仕切板６ｅ近くの左側及び右側の扉取り付け部６ｆに形成した縦長のスリット孔１４に着脱自在に支持されている。
【００８１】
また、左右の離脱防止部材１２Ｂは、扉枠８の内周縁部に設けた左側及び右側の連結部８ｂから左側方向及び右側方向へ張り出した状態で設けられており、矩形の板状に形成されている（図１９参照）。この離脱防止部材１２Ｂの張り出し方向の長さは、扉枠８の後端部（連結部８ｂ）を格納箱本体６内に嵌め込んだときに、離脱防止部材１２Ｂの先端と格納箱本体６の内面との間に若干の隙間が形成されるように設定されており、扉枠８を格納箱本体６に対して左右方向へ一定量だけ移動調整することができるようにすると共に、消火栓扉１１を左右方向へ一定量移動させたときに、離脱防止部材１２Ｂの先端が格納箱本体６の左側若しくは右側の内面に当接して消火栓扉１１の左右方向の位置決め行えるようになっている。
【００８２】
尚、第２の実施形態に係る消火栓格納箱１において、第１の実施形態に係る消火栓格納箱１と同じ部材・部位には、同一の参照番号を付し、その詳細な説明を省略する。
【００８３】
第２の実施形態に係る消火栓格納箱１も、扉支持手段１２を備えているため、第１の実施形態に係る消火栓格納箱１と同様の作用効果を奏することができる。
【００８４】
図２０〜図２２は本発明の第３の実施形態に係る消火栓格納箱１を示し、当該消火栓格納箱１は、扉支持手段１２が、格納箱本体６の上部中央位置に設けられ、格納箱本体６内に位置して先端部が下方を向く垂直姿勢に形成された支持部材１２Ｃと、扉枠８の上辺中央位置に形成され、前記支持部材１２Ｃの先端部が挿入係止される開口状の切り込み部１２Ｄと、を備えている。
【００８５】
即ち、前記支持部材１２Ｃは、断面形状がＬ字型の金属板により形成されており、格納箱本体６の上側の扉取り付け部６ｆの下面に先端が下方を向く姿勢で溶接により固定されている。
【００８６】
また、前記切り込み部１２Ｄは、扉枠８の上側の連結部８ｂの中央位置に長方形状の開口を形成することにより設けられており、切り込み部１２Ｄの大きさは、支持部材１２Ｃの下向きの先端部が簡単且つ容易に挿入係止される大きさに設定されている。
【００８７】
尚、支持部材１２Ｃの下向きの先端部の幅と長方形状の切り込み部１２Ｄの左右方向の幅は、支持部材１２Ｃの下向きの先端部を切り込み部１２Ｄに挿入したときに、切り込み部１２Ｄの左右の内周縁部との間に若干の隙間が形成されるように設定されており、消火栓扉１１を格納箱本体６に対して左右方向へ一定量だけ移動調整することができるようにすると共に、消火栓扉１１を左右方向へ一定量移動させたときに、支持部材１２Ｃの下向きの先端部両端が切り込み部１２Ｄの左側若しくは右側の内周縁部に当接して消火栓扉１１の左右方向の位置決め行えるようになっている。
【００８８】
而して、前記扉支持手段１２によれば、図２２に示すように作業者が消火栓扉１１を持ち、消火栓扉１１の上部を格納箱本体６側へ傾斜させた状態で連結部８ｂの上部を格納箱本体６内に嵌め込み、消火栓扉１１の連結部８ｂに形成した切り込み部１２ＤにＬ字状の支持部材１２Ｃの下向きの先端部を差し込むことによって、消火栓扉１１を格納箱本体６に支持することができる。
【００８９】
尚、第３の実施形態に係る消火栓格納箱１において、第１の実施形態に係る消火栓格納箱１と同じ部材・部位には、同一の参照番号を付し、その詳細な説明を省略する。
【００９０】
第３の実施形態に係る消火栓格納箱１も、支持部材１２Ｃ及び切り込み部１２Ｄから成る扉支持手段１２を備えているため、第１の実施形態に係る消火栓格納箱１と同様の作用効果を奏することができる。特に、第３の実施形態に係る消火栓格納箱１は、扉支持手段１２が一つの支持部材１２Ｃと一つの切り込み部１２Ｄとから構成されているため、第１及び第２の実施形態に係る消火栓格納箱１に比較して構造の簡略化を図ることができる。
【００９１】
図２３及び図２４は本発明の第４の実施形態に係る消火栓格納箱１を示し、当該消火栓格納箱１は、扉支持手段１２が、格納箱本体６の上部中央位置に設けられ、格納箱本体６内に位置して先端部が前方を向く水平姿勢に形成されていると共に、水平姿勢の先端部に扉枠８の上辺（上側の連結部８ｂ）が支持される支持部材１２Ｅを備えている。
【００９２】
即ち、前記支持部材１２Ｅは、格納箱本体６の内周縁部に設けた扉取り付け部６ｆの上側の扉取り付け部６ｆに一体的に設けられており、前記上側の扉取り付け部６ｆの先端部の少なくとも一部を延設して前方へ折り曲げ加工することにより形成されている。この支持部材１２Ｅは、上側の扉取り付け部６ｆと別体に形成し、扉取り付け部６ｆに溶接等により固定するようにしても良い。
【００９３】
而して、前記扉支持手段１２によれば、図２３に示すように作業者が消火栓扉１１を持ち、消火栓扉１１の後端部（連結部８ｂ）を格納箱本体６内に嵌め込み、消火栓扉１１の上側の連結部８ｂを支持部材１２Ｅの水平姿勢の先端部に支持させることによって、消火栓扉１１を格納箱本体６に支持することができる。
【００９４】
尚、第４の実施形態に係る消火栓格納箱１において、第１の実施形態に係る消火栓格納箱１と同じ部材・部位には、同一の参照番号を付し、その詳細な説明を省略する。
【００９５】
第４の実施形態に係る消火栓格納箱１も、支持部材１２Ｅから成る扉支持手段１２を備えているため、第１の実施形態に係る消火栓格納箱１と同様の作用効果を奏することができる。特に、第４の実施形態に係る消火栓格納箱１は、扉支持手段１２が一つの支持部材１２Ｅから構成されているため、第１〜第３の実施形態に係る消火栓格納箱１に比較して構造の簡略化を図ることができる。しかも、支持部材１２Ｅが扉取り付け部６ｆに一体的に形成されて折り曲げ加工することにより形成されているため、部品点数の削減を図ることができる。
【００９６】
尚、上記の第１及び第２の実施形態に係る消火栓格納箱１においては、扉支持手段１２の左右の支持部材１２Ａの支持片１２ａに、係止溝１２ｃと抜け止め部材１２ｄの両方を形成するようにしたが、他の実施形態においては、図２５（Ａ）に示すように、左右の支持部材１２Ａの支持片１２ａに係止溝１２ｃのみを形成しても良く、或いは、図２５（Ｂ）に示すように、左右の支持部材１２Ａの支持片１２ａに抜け止め突起１２ｄのみを形成するようにしても良い。
【００９７】
また、上記の第１及び第２の実施形態に係る消火栓格納箱１においては、扉支持手段１２の左右の支持部材１２Ａを格納箱本体６の扉取り付け部６ｆに着脱自在に設けたが、他の実施形態においては、図示していないが、左右の支持部材１２Ａを格納箱本体６の扉取り付け部６ｆの前面に溶接により固定するようにしても良い。また、扉支持手段１２の左右の支持部材１２Ａ及び左右の離脱防止部材１２Ｂを設ける位置も、上記の第１及び第２の実施形態に係るものに限定されるものではなく、左右の支持部材１２Ａで左右の離脱防止部材１２Ｂを支持することができれば、如何なる位置であっても良い。
【００９８】
また、上記の第１及び第２の実施形態に係る消火栓格納箱１においては、扉支持手段１２の左右の支持部材１２Ａは、金属板をＬ字状に折り曲げることにより形成され、また、扉支持手段１２の左右の離脱防止部材１２Ｂは、側面形状Ｌ字形の板状部材若しくは矩形の板状部材に形成したが、左右の支持部材１２Ａ及び左右の離脱防止部材１２Ｂの形状及び構造は、上記の第１及び第２の実施形態に係るものに限定されるものではなく、格納箱本体６及び扉枠８にそれぞれ設けられ、消火栓扉１１を格納箱本体６に保持することができれば、如何なる形状及び構造であっても良い。
【００９９】
例えば、図２６に示すように、扉支持手段１２の左右の支持部材１２Ａを支持片１２ａのみから形成し、当該支持片１２ａを格納箱本体６の扉取り付け部６ｆの前面に溶接により固定するようにしても良い。また、図２７に示すように、扉支持手段１２の左右の支持部材１２Ａを断面形状が矩形の棒状部材（又は図示していないが、断面形状が円形の棒状部材）により形成し、格納箱本体６の扉取り付け部６ｆの前面に溶接により固定するようにしても良い。この棒状部材の支持部材１２Ａの上面には、係止溝１２ｃ及び抜け止め部材１２ｄが形成されている。また、図示していないが、扉支持手段１２の左右の離脱防止部材１２Ｂも、断面形状が矩形又は円形の棒状部材により形成しても良い。
【０１００】
更に、上記の第３の実施形態に係る消火栓格納箱１においては、扉支持手段１２の支持部材１２ＣをＬ字型金属板により形成し、切り込み部１２Ｄを長方形状の開口としたが、支持部材１２Ｃ及び切り込み部１２Ｄの形状及び構造は、上記の実施形態に係るものに限定されるものではなく、格納箱本体６及び扉枠８にそれぞれ設けられ、消火栓扉１１を格納箱本体６に支持することができれば、如何なる形状及び構造であっても良い。
【０１０１】
例えば、図示していないが、扉支持手段１２の支持部材１２Ｃを断面形状が矩形又は円形のＬ字形の金属棒により形成し、切り込み部１２Ｄを矩形又は円形の開口としても良い。
【０１０２】
更に、上記の第４の実施形態に係る消火栓格納箱１においては、消火栓扉１１の上側の連結部８ｂを支持部材１２Ｅの水平姿勢の先端部で支持させるようにしたが、他の実施形態においては、図示していないが、消火栓扉１１の上側の連結部８ｂで且つ支持部材１２Ｅの水平部分に対向する箇所に逆凹状の切欠き部を形成し、この切欠き部に支持部材１２Ｅの水平部分を挿入係止するようにしても良い。このとき、切欠き部の左右方向の幅は、支持部材１２Ｅの水平部分の左右方向の幅よりも若干広めに形成されており、消火栓扉１１を格納箱本体６に対して左右方向へ一定量だけ移動調整することができるようにすると共に、消火栓扉１１を左右方向へ一定量移動させたときに、支持部材１２Ｅの水平部分の両端が切欠き部の両端内面に当接して消火栓扉１１の左右方向の位置決めを行えるようにしても良い。
【０１０３】
更に、上記の第１〜第４の実施形態に係る消火栓格納箱１においては、格納箱本体６と消火栓扉１１を取り付ける締付具７をビス７ａとナット７ｂから構成したが、他の実施形態においては、締付具７をボルトとナットから構成しても良い。
【０１０４】
更に、上記の第１〜第４の実施形態に係る消火栓格納箱１においては、消火栓扉１１の扉枠８に二枚の扉板９，１０を設けたが、他の実施形態においては、消火栓扉１１の扉枠８に一枚の扉板若しくは三枚の扉板を設けるようにしても良い。
【産業上の利用可能性】
【０１０５】
本発明は、埋設型の消火栓格納箱１にかかわらず、露出型の消火栓格納箱１や起立型の消火栓格納箱１等においても広く対応することができる。
【符号の説明】
【０１０６】
１は消火栓格納箱、６は格納箱本体、６ｆは扉取り付け部、７は締付具、８は扉枠、８ｂは連結部、９，１０は扉板、１１は扉、１２は扉支持手段、１２Ａは左右の支持部材、１２Ｂは左右の離脱防止部材、１２ａは支持片、１２ｃは係止溝、１２ｄは抜け止め突起、１２Ｃは支持部材、１２Ｄは切り込み部、１２Ｅは支持部材。
【図１】
2019201753.tif 000003
【図２】
2019201753.tif 000004
【図３】
2019201753.tif 000005
【図４】
2019201753.tif 000006
【図５】
2019201753.tif 000007
【図６】
2019201753.tif 000008
【図７】
2019201753.tif 000009
【図８】
2019201753.tif 000010
【図９】
2019201753.tif 000011
【図１０】
2019201753.tif 000012
【図１１】
2019201753.tif 000013
【図１２】
2019201753.tif 000014
【図１３】
2019201753.tif 000015
【図１４】
2019201753.tif 000016
【図１５】
2019201753.tif 000017
【図１６】
2019201753.tif 000018
【図１７】
2019201753.tif 000019
【図１８】
2019201753.tif 000020
【図１９】
2019201753.tif 000021
【図２０】
2019201753.tif 000022
【図２１】
2019201753.tif 000023
【図２２】
2019201753.tif 000024
【図２３】
2019201753.tif 000025
【図２４】
2019201753.tif 000026
【図２５】
2019201753.tif 000027
【図２６】
2019201753.tif 000028
【図２７】
2019201753.tif 000029
【図２８】
2019201753.tif 000030
【図２９】
2019201753.tif 000031
【図３０】
2019201753.tif 000032
【図３１】
2019201753.tif 000033